(57)【要約】【課題】比較的低温で長時間連続使用しても、フィルタに目詰まりが発生し難くする。【解決手段】排気通路１０に介装されるフィルタ１４の排気流入面に、粒子状物質の着火温度を低下させる無機化合物からなる金属触媒として、低温で炭化水素を吸着するゼオライト，酸化雰囲気で酸素を吸蔵するセリウム系酸化物及びペロブスカイト型複合酸化物を順序不問で混合して塗布する。そして、低温状態において、ゼオライトに取り込まれた炭化水素とセリウム系酸化物に取り込まれた酸素とが反応することで、フィルタ１４の排気流入面の温度が上昇し、粒子状物質の燃焼が促進される。【選択図】  図１
2004285871.tif 000002
【特許請求の範囲】
【請求項１】
排気通路に介装されるフィルタの排気流入面に、ゼオライト，セリウム系酸化物及びペロブスカイト型複合酸化物を夫々塗布したことを特徴とするディーゼルエンジンの排気浄化装置。
【請求項２】
前記ゼオライトは、βゼオライト，モルデナイト及びＭＦＩ、並びに、これらに銀を担持させたＡｇ−βゼオライト，Ａｇ−モルデナイト及びＡｇ−ＭＦＩの少なくとも１種からなることを特徴とする請求項１記載のディーゼルエンジンの排気浄化装置。
【請求項３】
前記セリウム系酸化物は、セリウム−ジルコニア酸化物からなることを特徴とする請求項１又は請求項２に記載のディーゼルエンジンの排気浄化装置。
【発明の詳細な説明】
【０００１】
【発明の属する技術分野】
本発明は、ディーゼルエンジンの排気浄化装置において、特に、比較的低温で長時間連続使用しても、フィルタの目詰まりを発生し難くする技術に関する。
【０００２】
【従来の技術】
従来から、ディーゼルエンジンの排気を浄化することを目的として、排気通路に介装されたフィルタにより粒子状物質（以下「ＰＭ」という）を捕集除去する排気浄化装置が公知である。かかる排気浄化装置では、ＰＭ捕集量の増加に伴ってフィルタの目詰まりが進行するので、連続的な排気浄化を行なうことができなかった。このため、特許文献１又は特許文献２に開示されるように、フィルタに塗布されたペロブスカイト型複合酸化物又はスピネル型複合酸化物からなる触媒により、ＰＭの着火温度を低下させ、連続的な排気浄化を可能にした技術が提案された。
【０００３】
【特許文献１】
特開平９−２６７０４０号公報
【特許文献２】
特開平９−２７１６６５号公報
【０００４】
【発明が解決しようとする課題】
しかしながら、かかる従来技術にあっては、ＰＭの着火温度が略４００℃に低下するものの、実用上では不十分であった。このため、比較的低温状態で長時間連続使用すると、ＰＭの燃焼除去が不十分となり、依然として、フィルタに目詰まりが発生してしまうおそれがあった。
【０００５】
そこで、本発明は以上のような従来の問題点に鑑み、低温で炭化水素を吸着するゼオライト及び酸化雰囲気で酸素を吸蔵するセリウム系酸化物をフィルタに追加塗布することで、比較的低温で長時間連続使用しても、フィルタに目詰まりが発生し難いディーゼルエンジンの排気浄化装置を提供することを目的とする。
【０００６】
【課題を解決するための手段】
このため、請求項１記載のディーゼルエンジンの排気浄化装置に係る発明では、排気通路に介装されるフィルタの排気流入面に、ゼオライト，セリウム系酸化物及びペロブスカイト型複合酸化物を夫々塗布したことを特徴とする。
【０００７】
かかる構成によれば、ディーゼルエンジンから排出された排気は、排気通路を通って排気浄化装置に導入されると、フィルタの隔壁を通過する際に、粒子状物質が隔壁を構成する多孔性部材により捕集される。そして、排気熱等によりフィルタ温度が徐々に上昇して粒子状物質の着火温度に到達すると、フィルタで捕集された粒子状物質が燃焼（酸化）し始める。
【０００８】
このとき、フィルタの排気流入面には、従来技術で用いられていたペロブスカイト型複合酸化物に加えて、ゼオライト及びセリウム系酸化物が追加塗布されているので、粒子状物質の着火温度が一層低下される。即ち、ディーゼルエンジンの排気は酸素過剰状態であるため、セリウム系酸化物は、酸化雰囲気で排気中の酸素を取り込む。一方、ゼオライトは、低温で排気中の未燃炭化水素を取り込む。そして、セリウム系酸化物に取り込まれた酸素とゼオライトに取り込まれた炭化水素とが反応し、フィルタの排気流入面の温度を上昇させる。このため、比較的低温状態であっても、フィルタにより捕集された粒子状物質が燃焼することとなる。
【０００９】
請求項２記載の発明では、前記ゼオライトは、βゼオライト，モルデナイト及びＭＦＩ、並びに、これらに銀を担持させたＡｇ−βゼオライト，Ａｇ−モルデナイト及びＡｇ−ＭＦＩの少なくとも１種からなることを特徴とする。
【００１０】
かかる構成によれば、ゼオライトとして、βゼオライト，モルデナイト，ＭＦＩ，Ａｇ−βゼオライト，Ａｇ−モルデナイト及びＡｇ−ＭＦＩの少なくとも１種を採用することで、低温状態において、排気中の未燃炭化水素が効果的に吸着される。
【００１１】
請求項３記載の発明では、前記セリウム系酸化物は、セリウム−ジルコニア酸化物からなることを特徴とする。
かかる構成によれば、セリウム系酸化物として、セリウム−ジルコニア酸化物を採用することで、酸化雰囲気において、排気中の酸素が効果的に吸蔵される。
【００１２】
【発明の実施の形態】
以下、添付された図面を参照して本発明を詳述する。
図１は、本発明に係るディーゼルエンジンの排気浄化装置（以下「排気浄化装置」という）の全体構成を示す。
【００１３】
ディーゼルエンジンの排気通路１０には、保持部材１２を介して、排気中のＰＭを捕集するフィルタ１４が介装される。フィルタ１４は、セラミック等の多孔性部材からなる隔壁により排気流と略平行なセルが多数形成され、各セルの入口と出口とが目封材１６により互い違いに千鳥格子状に目封じされて形成される。そして、出口が塞がれたセル内の排気が、隔壁を介して入口が塞がれている隣接するセルに流入するとき、排気中のＰＭが隔壁を構成する多孔性部材により捕集され、排気が浄化される。
【００１４】
本発明の特徴として、フィルタ１４の排気流入面には、図２に示すように、捕集されたＰＭの着火温度を低下させるべく、塗布物Ａとして、ゼオライト，セリウム系酸化物及びペロブスカイト型複合酸化物からなる３種の無機化合物が夫々順序不問にて混合されている。
【００１５】
ここで、ゼオライトとしては、βゼオライト，モルデナイト及びＭＦＩ（ＺＳＭ−５）、並びに、これらに銀（Ａｇ）を担持させたＡｇ−βゼオライト，Ａｇ−モルデナイト及びＡｇ−ＭＦＩなど、高沸点特性を有しつつ、酸化雰囲気で炭化水素の吸着能力が高い少なくとも１種の物質を採用することが望ましい。また、セリウム系酸化物としては、セリウム−ジルコニア酸化物など、低温で酸素の吸蔵能力が高い物質を採用することが望ましい。さらに、ペロブスカイト型複合酸化物としては、Ｌａ０．９Ｋ０．１ＭｎＯ３，Ｌａ０．９Ｋ０．１ＣｏＯ３，Ｌａ０．９Ｋ０．１ＦｅＯ３，Ｌａ０．９Ｋ０．１Ｍｎ０．８Ｃｕ０．２Ｏ３，Ｌａ０．９Ｋ０．１Ｍｎ０．８Ｆｅ０．２Ｏ３などの物質を採用することが望ましい。
【００１６】
次に、かかる構成からなる排気浄化装置の作用について説明する。
ディーゼルエンジンから排出された排気は、排気通路１０を通って排気浄化装置に導入されると、フィルタ１４の隔壁を通過する際に、ＰＭが隔壁を構成する多孔性部材により捕集される。そして、排気熱等によりフィルタ温度が徐々に上昇してＰＭの着火温度に到達すると、フィルタ１４で捕集されたＰＭが燃焼（酸化）し始める。
【００１７】
このとき、フィルタ１４の排気流入面には、従来技術で用いられていたペロブスカイト型複合酸化物に加えて、ゼオライト及びセリウム系酸化物が追加塗布されているので、粒子状物質の着火温度が一層低下する。即ち、ディーゼルエンジンの排気は酸素過剰状態であるため、セリウム系酸化物は、酸化雰囲気で排気中の酸素を取り込む。一方、ゼオライトは、低温で排気中の未燃炭化水素を取り込む。そして、セリウム系酸化物に取り込まれた酸素とゼオライトに取り込まれた炭化水素とが反応し、フィルタ１４の排気流入面の温度を上昇させる。このため、比較的低温状態であっても、フィルタ１４により捕集された粒子状物質が燃焼し、フィルタ１４に目詰まりが発生し難くすることができる。
【００１８】
また、ゼオライトとして、βゼオライト，モルデナイト及びＭＦＩ、並びに、これらに銀を担持させたＡｇ−βゼオライト，Ａｇ−モルデナイト及びＡｇ−ＭＦＩの少なくとも１種を採用することで、低温状態においても、排気中の未燃炭化水素が効果的に吸着される。一方、セリウム系酸化物として、セリウム−ジルコニア酸化物を採用することで、酸化雰囲気において、排気中の酸素が効果的に吸蔵される。そして、これらの構成を採用することで、夫々、粒子状物質の着火温度を一層低下させることができる。
【００１９】
なお、以上説明した効果は、フィルタ１４の排気流入面にゼオライト及びセリウム系酸化物を追加塗布するだけで享受できる。このため、本発明は、既存の排気浄化装置に対しても容易に適用可能であり、極めて有用なものである。
【００２０】
【発明の効果】
以上説明したように、請求項１記載の発明によれば、比較的低温であっても、フィルタにより捕集された粒子状物質が燃焼することとなり、比較的低温で長時間連続使用しても、フィルタに目詰まりが発生し難くすることができる。
【００２１】
請求項２記載の発明によれば、低温状態において、排気中の未燃炭化水素が効果的に吸着され、粒子状物質の着火温度を一層低下させることができる。
請求項３記載の発明によれば、酸化雰囲気において、排気中の酸素が効果的に吸蔵され、粒子状物質の着火温度を一層低下させることができる。
【図面の簡単な説明】
【図１】本発明に係る排気浄化装置の全体構成図
【図２】図１中のＸ部拡大図
【符号の説明】
１０  排気通路
１４  フィルタ
Ａ    金属触媒
【図１】
2004285871.tif 000003
【図２】
2004285871.tif 000004